(57)【要約】      （修正有） 【課題】保持の形態が異なる種々の物品を保持することができ、利便性が向上された物品保持装置を提供する。【解決手段】基台４は、長方形の板状体であり、長手方向Ｃを上下にして鉛直な設置面部８１に固定される。この基台４には、第１〜第３保持体３〜５が設けられる。第１保持体３は、基台４の一側部寄りの領域に設けられ、プレート２１を、このプレートの差込み部を各挟持片２３ａ，２３ｂによって着脱自在に挟持した状態で、保持する。第２保持体４は、基台４の他側部寄りの上方の領域に設けられ、旗セットを、この旗セットの旗竿の挿入部を挿入筒部４５の挿入孔に着脱自在に挿入した状態で、保持する。第３保持体５は、基台４の他側部寄りの下方の領域に設けられ、補助表示具セットを、この補助表示具セットの装着具の嵌合部を装着片に着脱自在に嵌合させた状態で、保持する。【選択図】図１
0003106912.tif 000002
【実用新案登録請求の範囲】
【請求項１】
基台と、
一対の挟持片が前記基台から突出して一体的に形成され、板状の差込み部を有する第１物品を、前記差込み部を各挟持片によって着脱自在に挟持した状態で保持する第１保持体と、
挿入孔が形成される挿入筒部が前記基台から突出して一体的に形成され、棒状の挿入部を有する第２物品を、前記挿入部を挿入筒部の挿入孔に着脱自在に挿入した状態で保持する第２保持体と、
円柱状の装着片が前記基台から突出して一体的に形成され、軸直角断面がＣ字状の嵌合部を有する第３物品を、前記嵌合部を装着片に着脱自在に嵌合させた状態で保持する第３保持体とを含むことを特徴とする物品保持装置。
【請求項２】
基台と、
一対の挟持片が前記基台から突出して一体的に形成され、板状の差込み部を有する第１物品を、前記差込み部を各挟持片によって着脱自在に挟持した状態で保持する第１保持体と、
挿入孔が形成される挿入筒部が前記基台から突出して一体的に形成され、棒状の挿入部を有する第２物品を、前記挿入部を挿入筒部の挿入孔に着脱自在に挿入した状態で保持する第２保持体と、
円柱状の装着片が前記基台から突出して一体的に形成され、軸直角断面がＣ字状の嵌合部を有する第３物品を、前記嵌合部を装着片に着脱自在に嵌合させた状態で保持する第３保持体とを含み、
第１保持体は、各挟持片の基端部が前記基台に一体的に連なり、遊端部は相互に近接する方向に屈曲して弾発的に当接して一直線状に延び、各挟持片の各基端部間で前記基台の表面から突出して各挟持片と平行に延びる一対の案内突条を有することを特徴とする物品保持装置。
【請求項３】
基台と、
一対の挟持片が前記基台から突出して一体的に形成され、板状の差込み部を有する第１物品を、前記差込み部を各挟持片によって着脱自在に挟持した状態で保持する第１保持体と、
挿入孔が形成される挿入筒部が前記基台から突出して一体的に形成され、棒状の挿入部を有する第２物品を、前記挿入部を挿入筒部の挿入孔に着脱自在に挿入した状態で保持する第２保持体と、
円柱状の装着片が前記基台から突出して一体的に形成され、軸直角断面がＣ字状の嵌合部を有する第３物品を、前記嵌合部を装着片に着脱自在に嵌合させた状態で保持する第３保持体とを含み、
第２保持体は、挿入筒部の基端部および遊端部間の中間部と前記基台とを連結する連結壁部を有することを特徴とする物品保持装置。
【請求項４】
基台と、
一対の挟持片が前記基台から突出して一体的に形成され、板状の差込み部を有する第１物品を、前記差込み部を各挟持片によって着脱自在に挟持した状態で保持する第１保持体と、
挿入孔が形成される挿入筒部が前記基台から突出して一体的に形成され、棒状の挿入部を有する第２物品を、前記挿入部を挿入筒部の挿入孔に着脱自在に挿入した状態で保持する第２保持体と、
円柱状の装着片が前記基台から突出して一体的に形成され、軸直角断面がＣ字状の嵌合部を有する第３物品を、前記嵌合部を装着片に着脱自在に嵌合させた状態で保持する第３保持体とを含み、
第３保持体は、前記基台から突出して一体的に形成される連結突部を有し、装着片が基台の表面に沿って延び前記基台の表面から間隔をあけて連結突部を介して一体的に形成されることを特徴とする物品保持装置。
【請求項５】
基台と、
一対の挟持片が前記基台から突出して一体的に形成され、板状の差込み部を有する第１物品を、前記差込み部を各挟持片によって着脱自在に挟持した状態で保持する第１保持体と、
挿入孔が形成される挿入筒部が前記基台から突出して一体的に形成され、棒状の挿入部を有する第２物品を、前記挿入部を挿入筒部の挿入孔に着脱自在に挿入した状態で保持する第２保持体と、
円柱状の装着片が前記基台から突出して一体的に形成され、軸直角断面がＣ字状の嵌合部を有する第３物品を、前記嵌合部を装着片に着脱自在に嵌合させた状態で保持する第３保持体とを含み、
前記基台は、矩形の板状体であり、長手方向を上下にして鉛直な設置面に設置され、この基台の一側部寄りの領域には前記第１保持体が設けられ、他側部寄りの上方の領域には前記第２保持体が設けられ、他側部寄りの下方の領域には前記第３保持体が設けられることを特徴とする物品保持装置。
【請求項６】
基台と、
一対の挟持片が前記基台から突出して一体的に形成され、板状の差込み部を有する第１物品を、前記差込み部を各挟持片によって着脱自在に挟持した状態で保持する第１保持体と、
挿入孔が形成される挿入筒部が前記基台から突出して一体的に形成され、棒状の挿入部を有する第２物品を、前記挿入部を挿入筒部の挿入孔に着脱自在に挿入した状態で保持する第２保持体と、
円柱状の装着片が前記基台から突出して一体的に形成され、軸直角断面がＣ字状の嵌合部を有する第３物品を、前記嵌合部を装着片に着脱自在に嵌合させた状態で保持する第３保持体とを含み、
基台は、矩形の板状体であり、長手方向を上下にして鉛直な設置面に設置され、
第１保持体は、基台の一側部寄りの領域に設けられ、各挟持片の基端部が前記基台に一体的に連なり、遊端部は相互に近接する方向に屈曲して弾発的に当接して基台の長手方向に延び、各挟持片の各基端部間で前記基台の表面から突出して各挟持片と平行に延びる一対の案内突条を有し、
第２保持体は、基台の他側部寄りの上方の領域に設けられ、挿入筒部が前記基台から斜め上方に突出し、挿入筒部の基端部および遊端部間の中間部と前記基台とを連結する連結壁部を有し、
第３保持体は、基台の他側部寄りの下方の領域に設けられ、前記基台から突出して一体的に形成される連結突部を有し、装着片が基台の長手方向に延び前記基台の表面から間隔をあけて連結突部を介して一体的に形成されることを特徴とする物品保持装置。
【請求項７】
基台と、
一対の挟持片が前記基台から突出して一体的に形成され、板状の差込み部を有する第１物品を、前記差込み部を各挟持片によって着脱自在に挟持した状態で保持する第１保持体と、
挿入孔が形成される挿入筒部が前記基台から突出して一体的に形成され、棒状の挿入部を有する第２物品を、前記挿入部を挿入筒部の挿入孔に着脱自在に挿入した状態で保持する第２保持体と、
突部が前記基台から突出して一体的に形成され、凹状の補助嵌合部を有する補助部材を、前記補助嵌合部を突部に着脱自在に嵌合させた状態で保持する第３保持体とを含み、
補助部材は、円柱状であり、補助部材には、軸直角断面がＣ字状の嵌合部を有する第３物品が、前記嵌合部が着脱自在に嵌合された状態で装着されることを特徴とする物品保持装置。
【考案の詳細な説明】
【技術分野】
【０００１】
本考案は、複数の物品を保持する物品保持装置に関する。
【背景技術】
【０００２】
従来から、パチンコ店などの遊技店では、遊技機に関連する装飾および宣伝のために、種々の表示具、たとえばプレートおよび旗が用いられている。表示具は、物品保持装置によって保持される。前記物品保持装置は、遊技機の上方の壁、または遊技機に、設置される。
【０００３】
第１の従来技術は、特許文献１に記載されている。この従来技術は、表示プレートを保持する表示プレートホルダに関する。表示プレートホルダは、プレート装着部と、連結部と、基盤とを備えている。プレート装着部は、略Ｕ字状の保持部を有する。このプレート装着部は、連結部を介して基盤に設けられる。基盤は、両面粘着テープなどによって、遊技機に固定される。表示プレートホルダは、表示プレートを、プレート装着部の保持部によって挟み込んで保持することができる。
【０００４】
第２の従来技術は、特許文献２に記載されている。この従来技術は、旗を立てるための旗立てに関する。旗立ては、保持部と、台座部とを有する。保持部は、有底筒体である。この保持部は、台座部に固着される。台座部の背面は、両面接着テープなどによって、遊技機に固定される。前記保持部に旗竿が挿入されることによって、旗が斜めに立てられる。
【０００５】
【特許文献１】特開平８−２１５４０４号公報
【特許文献２】登録実用新案第３０９２０３６号公報
【考案の開示】
【考案が解決しようとする課題】
【０００６】
前記第１の従来技術では、表示プレートのような板状の差込み部を有する物品は保持することができるけれども、旗のような棒状の挿入部を有する物品は保持することができないという問題がある。
【０００７】
前記第２の従来技術では、第１の従来技術とは反対に、棒状の挿入部を有する物品は保持することができるけれども、板状の差込み部を有する物品は保持することができないという問題がある。
【０００８】
また物品保持装置は、板状の差込み部を有する物品および棒状の挿入部を有する物品に限らず、保持の形態が異なる種々の物品を保持可能であることが好ましい。
【０００９】
したがって本考案の目的は、保持の形態が異なる種々の物品を保持することができ、利便性が向上された物品保持装置を提供することである。
【課題を解決するための手段】
【００１０】
本考案は、基台と、
一対の挟持片が前記基台から突出して一体的に形成され、板状の差込み部を有する第１物品を、前記差込み部を各挟持片によって着脱自在に挟持した状態で保持する第１保持体と、
挿入孔が形成される挿入筒部が前記基台から突出して一体的に形成され、棒状の挿入部を有する第２物品を、前記挿入部を挿入筒部の挿入孔に着脱自在に挿入した状態で保持する第２保持体と、
円柱状の装着片が前記基台から突出して一体的に形成され、軸直角断面がＣ字状の嵌合部を有する第３物品を、前記嵌合部を装着片に着脱自在に嵌合させた状態で保持する第３保持体とを含むことを特徴とする物品保持装置である。
【００１１】
本考案に従えば、基台には、第１〜第３保持体が設けられる。第１保持体は、第１物品を、この第１物品の差込み部を各挟持片によって着脱自在に挟持した状態で、保持する。第２保持体は、第２物品を、この第２物品の挿入部を挿入筒部の挿入孔に着脱自在に挿入した状態で、保持する。第３保持体は、第３物品を、この第３物品の嵌合部を装着片に着脱自在に嵌合させた状態で、保持する。このように第１〜第３保持体によって、保持の形態が異なる第１〜第３物品をそれぞれ保持することができる。つまり１つの物品保持装置によって、保持の形態が異なる種々の物品を保持することができる。
【００１２】
また本考案は、基台と、
一対の挟持片が前記基台から突出して一体的に形成され、板状の差込み部を有する第１物品を、前記差込み部を各挟持片によって着脱自在に挟持した状態で保持する第１保持体と、
挿入孔が形成される挿入筒部が前記基台から突出して一体的に形成され、棒状の挿入部を有する第２物品を、前記挿入部を挿入筒部の挿入孔に着脱自在に挿入した状態で保持する第２保持体と、
円柱状の装着片が前記基台から突出して一体的に形成され、軸直角断面がＣ字状の嵌合部を有する第３物品を、前記嵌合部を装着片に着脱自在に嵌合させた状態で保持する第３保持体とを含み、
第１保持体は、各挟持片の基端部が前記基台に一体的に連なり、遊端部は相互に近接する方向に屈曲して弾発的に当接して一直線状に延び、各挟持片の各基端部間で前記基台の表面から突出して各挟持片と平行に延びる一対の案内突条を有することを特徴とする物品保持装置である。
【００１３】
本考案に従えば、基台には、第１〜第３保持体が設けられる。第１保持体は、第１物品を、この第１物品の差込み部を各挟持片によって着脱自在に挟持した状態で、保持する。第２保持体は、第２物品を、この第２物品の挿入部を挿入筒部の挿入孔に着脱自在に挿入した状態で、保持する。第３保持体は、第３物品を、この第３物品の嵌合部を装着片に着脱自在に嵌合させた状態で、保持する。このように第１〜第３保持体によって、保持の形態が異なる第１〜第３物品をそれぞれ保持することができる。つまり１つの物品保持装置によって、保持の形態が異なる種々の物品を保持することができる。
【００１４】
各挟持片の遊端部は、相互に近接する方向に屈曲して弾発的に当接するので、第１物品の差込み部の厚みが小さくても、各挟持片によって前記差込み部を挟持することができる。しかも各挟持片の遊端部は、一直線状に延びるので、第１物品の差込み部と前記遊端部との接触面積を大きくすることができる。したがって第１物品を、第１保持体によって確実に保持することができる。
【００１５】
一対の案内突条は、各挟持片の各基端部間で前記基台の表面から突出して各挟持片と平行に延びる。このような一対の案内突条によって、第１物品の差込み部の端部を、所定の位置に案内することができる。したがって第１保持体は、第１物品を、この第１物品の差込み部が所定の姿勢になるようにして、保持することができる。
【００１６】
また本考案は、基台と、
一対の挟持片が前記基台から突出して一体的に形成され、板状の差込み部を有する第１物品を、前記差込み部を各挟持片によって着脱自在に挟持した状態で保持する第１保持体と、
挿入孔が形成される挿入筒部が前記基台から突出して一体的に形成され、棒状の挿入部を有する第２物品を、前記挿入部を挿入筒部の挿入孔に着脱自在に挿入した状態で保持する第２保持体と、
円柱状の装着片が前記基台から突出して一体的に形成され、軸直角断面がＣ字状の嵌合部を有する第３物品を、前記嵌合部を装着片に着脱自在に嵌合させた状態で保持する第３保持体とを含み、
第２保持体は、挿入筒部の基端部および遊端部間の中間部と前記基台とを連結する連結壁部を有することを特徴とする物品保持装置である。
【００１７】
本考案に従えば、基台には、第１〜第３保持体が設けられる。第１保持体は、第１物品を、この第１物品の差込み部を各挟持片によって着脱自在に挟持した状態で、保持する。第２保持体は、第２物品を、この第２物品の挿入部を挿入筒部の挿入孔に着脱自在に挿入した状態で、保持する。第３保持体は、第３物品を、この第３物品の嵌合部を装着片に着脱自在に嵌合させた状態で、保持する。このように第１〜第３保持体によって、保持の形態が異なる第１〜第３物品をそれぞれ保持することができる。つまり１つの物品保持装置によって、保持の形態が異なる種々の物品を保持することができる。
【００１８】
連結壁部は、挿入筒部の基端部および遊端部間の中間部と前記基台とを連結する。これによって、挿入筒部の基端部と前記基台とが連なる部分にかかる力を小さくすることができる。
【００１９】
また本考案は、基台と、
一対の挟持片が前記基台から突出して一体的に形成され、板状の差込み部を有する第１物品を、前記差込み部を各挟持片によって着脱自在に挟持した状態で保持する第１保持体と、
挿入孔が形成される挿入筒部が前記基台から突出して一体的に形成され、棒状の挿入部を有する第２物品を、前記挿入部を挿入筒部の挿入孔に着脱自在に挿入した状態で保持する第２保持体と、
円柱状の装着片が前記基台から突出して一体的に形成され、軸直角断面がＣ字状の嵌合部を有する第３物品を、前記嵌合部を装着片に着脱自在に嵌合させた状態で保持する第３保持体とを含み、
第３保持体は、前記基台から突出して一体的に形成される連結突部を有し、装着片が基台の表面に沿って延び前記基台の表面から間隔をあけて連結突部を介して一体的に形成されることを特徴とする物品保持装置である。
【００２０】
本考案に従えば、基台には、第１〜第３保持体が設けられる。第１保持体は、第１物品を、この第１物品の差込み部を各挟持片によって着脱自在に挟持した状態で、保持する。第２保持体は、第２物品を、この第２物品の挿入部を挿入筒部の挿入孔に着脱自在に挿入した状態で、保持する。第３保持体は、第３物品を、この第３物品の嵌合部を装着片に着脱自在に嵌合させた状態で、保持する。このように第１〜第３保持体によって、保持の形態が異なる第１〜第３物品をそれぞれ保持することができる。つまり１つの物品保持装置によって、保持の形態が異なる種々の物品を保持することができる。
【００２１】
装着片は、連結突部を介して一体的に形成され、基台の長手方向に延びる。装着片は、前記基台の表面から間隔をあけて設けられる。したがって第３保持体によって第３物品を保持した状態において、第３物品の嵌合部と基台との接触を防ぐことができる。
【００２２】
また本考案は、基台と、
一対の挟持片が前記基台から突出して一体的に形成され、板状の差込み部を有する第１物品を、前記差込み部を各挟持片によって着脱自在に挟持した状態で保持する第１保持体と、
挿入孔が形成される挿入筒部が前記基台から突出して一体的に形成され、棒状の挿入部を有する第２物品を、前記挿入部を挿入筒部の挿入孔に着脱自在に挿入した状態で保持する第２保持体と、
円柱状の装着片が前記基台から突出して一体的に形成され、軸直角断面がＣ字状の嵌合部を有する第３物品を、前記嵌合部を装着片に着脱自在に嵌合させた状態で保持する第３保持体とを含み、
前記基台は、矩形の板状体であり、長手方向を上下にして鉛直な設置面に設置され、この基台の一側部寄りの領域には前記第１保持体が設けられ、他側部寄りの上方の領域には前記第２保持体が設けられ、他側部寄りの下方の領域には前記第３保持体が設けられることを特徴とする物品保持装置である。
【００２３】
本考案に従えば、基台には、第１〜第３保持体が設けられる。第１保持体は、第１物品を、この第１物品の差込み部を各挟持片によって着脱自在に挟持した状態で、保持する。第２保持体は、第２物品を、この第２物品の挿入部を挿入筒部の挿入孔に着脱自在に挿入した状態で、保持する。第３保持体は、第３物品を、この第３物品の嵌合部を装着片に着脱自在に嵌合させた状態で、保持する。このように第１〜第３保持体によって、保持の形態が異なる第１〜第３物品をそれぞれ保持することができる。つまり１つの物品保持装置によって、保持の形態が異なる種々の物品を保持することができる。
【００２４】
前記基台は、矩形の板状体であり、長手方向を上下にして鉛直な設置面に設置される。第１保持体は、前記基台の一側部寄りの領域に設けられる。第２保持体は、前記基台の他側部寄りの上方の領域に設けられる。第３保持体は、前記基台の他側部寄りの下方の領域に設けられる。前記基台に対して第１〜第３保持体が前述のように設けられることによって、物品保持装置の小形化を図ることができる。
【００２５】
また本考案は、基台と、
一対の挟持片が前記基台から突出して一体的に形成され、板状の差込み部を有する第１物品を、前記差込み部を各挟持片によって着脱自在に挟持した状態で保持する第１保持体と、
挿入孔が形成される挿入筒部が前記基台から突出して一体的に形成され、棒状の挿入部を有する第２物品を、前記挿入部を挿入筒部の挿入孔に着脱自在に挿入した状態で保持する第２保持体と、
円柱状の装着片が前記基台から突出して一体的に形成され、軸直角断面がＣ字状の嵌合部を有する第３物品を、前記嵌合部を装着片に着脱自在に嵌合させた状態で保持する第３保持体とを含み、
基台は、矩形の板状体であり、長手方向を上下にして鉛直な設置面に設置され、
第１保持体は、基台の一側部寄りの領域に設けられ、各挟持片の基端部が前記基台に一体的に連なり、遊端部は相互に近接する方向に屈曲して弾発的に当接して基台の長手方向に延び、各挟持片の各基端部間で前記基台の表面から突出して各挟持片と平行に延びる一対の案内突条を有し、
第２保持体は、基台の他側部寄りの上方の領域に設けられ、挿入筒部が前記基台から斜め上方に突出し、挿入筒部の基端部および遊端部間の中間部と前記基台とを連結する連結壁部を有し、
第３保持体は、基台の他側部寄りの下方の領域に設けられ、前記基台から突出して一体的に形成される連結突部を有し、装着片が基台の長手方向に延び前記基台の表面から間隔をあけて連結突部を介して一体的に形成されることを特徴とする物品保持装置である。
【００２６】
本考案に従えば、基台には、第１〜第３保持体が設けられる。第１保持体は、第１物品を、この第１物品の差込み部を各挟持片によって着脱自在に挟持した状態で、保持する。第２保持体は、第２物品を、この第２物品の挿入部を挿入筒部の挿入孔に着脱自在に挿入した状態で、保持する。第３保持体は、第３物品を、この第３物品の嵌合部を装着片に着脱自在に嵌合させた状態で、保持する。このように第１〜第３保持体によって、保持の形態が異なる第１〜第３物品をそれぞれ保持することができる。つまり１つの物品保持装置によって、保持の形態が異なる種々の物品を保持することができる。
【００２７】
前記基台は、矩形の板状体であり、長手方向を上下にして鉛直な設置面に設置される。第１保持体は、前記基台の一側部寄りの領域に設けられる。第２保持体は、前記基台の他側部寄りの上方の領域に設けられる。第３保持体は、前記基台の他側部寄りの下方の領域に設けられる。前記基台に対して第１〜第３保持体が前述のように設けられることによって、物品保持装置の小形化を図ることができる。
【００２８】
各挟持片の遊端部は、相互に近接する方向に屈曲して弾発的に当接するので、第１物品の差込み部の厚みが小さくても、各挟持片によって前記差込み部を挟持することができる。しかも各挟持片の遊端部は、基台の長手方向に延びるので、第１物品の差込み部と前記遊端部との接触面積を大きくすることができる。したがって第１物品を、第１保持体によって確実に保持することができる。
【００２９】
一対の案内突条は、各挟持片の各基端部間で前記基台の表面から突出して各挟持片と平行に延びる。このような一対の案内突条によって、第１物品の差込み部の端部を、所定の位置に案内することができる。したがって第１保持体は、第１物品を、この第１物品の差込み部が所定の姿勢になるようにして、保持することができる。
【００３０】
連結壁部は、前記基台から斜め上方に突出する挿入筒部の基端部および遊端部間の中間部と前記基台とを連結する。これによって、挿入筒部の基端部と前記基台とが連なる部分にかかる力を小さくすることができる。
【００３１】
装着片は、連結突部を介して一体的に形成され、基台の長手方向に延びる。装着片は、前記基台の表面から間隔をあけて設けられる。したがって第３保持体によって第３物品を保持した状態において、第３物品の嵌合部と基台との接触を防ぐことができる。
【００３２】
また本考案は、基台と、
一対の挟持片が前記基台から突出して一体的に形成され、板状の差込み部を有する第１物品を、前記差込み部を各挟持片によって着脱自在に挟持した状態で保持する第１保持体と、
挿入孔が形成される挿入筒部が前記基台から突出して一体的に形成され、棒状の挿入部を有する第２物品を、前記挿入部を挿入筒部の挿入孔に着脱自在に挿入した状態で保持する第２保持体と、
突部が前記基台から突出して一体的に形成され、凹状の補助嵌合部を有する補助部材を、前記補助嵌合部を突部に着脱自在に嵌合させた状態で保持する第３保持体とを含み、
補助部材は、円柱状であり、補助部材には、軸直角断面がＣ字状の嵌合部を有する第３物品が、前記嵌合部が着脱自在に嵌合された状態で装着されることを特徴とする物品保持装置である。
【００３３】
本考案に従えば、基台には、第１〜第３保持体が設けられる。第１保持体は、第１物品を、この第１物品の差込み部を各挟持片によって着脱自在に挟持した状態で、保持する。第２保持体は、第２物品を、この第２物品の挿入部を挿入筒部の挿入孔に着脱自在に挿入した状態で、保持する。第３保持体は、補助部材を、この補助部材の補助嵌合部を突部に着脱自在に嵌合させた状態で、保持する。補助部材には、第３物品が、この第３物品の嵌合部が着脱自在に嵌合された状態で装着される。このように第１〜第３保持体によって、保持の形態が異なる第１〜第３物品をそれぞれ保持することができる。つまり１つの物品保持装置によって、保持の形態が異なる種々の物品を保持することができる。
【考案の効果】
【００３４】
本考案によれば、第１〜第３保持体によって、保持の形態が異なる第１〜第３物品をそれぞれ保持することができる。このように１つの物品保持装置によって、保持の形態が異なる種々の物品を保持することができ、したがって利便性を向上することができる。
【００３５】
また本考案によれば、第１〜第３保持体によって、保持の形態が異なる第１〜第３物品をそれぞれ保持することができる。このように１つの物品保持装置によって、保持の形態が異なる種々の物品を保持することができ、したがって利便性を向上することができる。また第１物品の差込み部と各挟持片の遊端部とが大きな接触面積で接触した状態で、各挟持片によって前記差込み部を挟持することができる。したがって第１物品を、第１保持体によって確実に保持することができ、第１物品の落下を防止することができる。また一対の案内突条によって、第１物品の差込み部の端部を、所定の位置に案内することができる。したがって第１保持体は、第１物品を、この第１物品の差込み部が所定の姿勢になるようにして、保持することができる。換言すると、第１物品の差込み部を各挟持片の間に差込むときに、差込み作業を行う作業者は容易に、前記差込み部を所定の姿勢にすることができる。
【００３６】
また本考案によれば、第１〜第３保持体によって、保持の形態が異なる第１〜第３物品をそれぞれ保持することができる。このように１つの物品保持装置によって、保持の形態が異なる種々の物品を保持することができ、したがって利便性を向上することができる。また連結壁部によって、挿入筒部の基端部および遊端部間の中間部と前記基台とが連結されるので、挿入筒部の基端部と前記基台とが連なる部分にかかる力を小さくすることができる。したがって前記連なる部分の変形および破損を防止することができる。
【００３７】
また本考案によれば、第１〜第３保持体によって、保持の形態が異なる第１〜第３物品をそれぞれ保持することができる。このように１つの物品保持装置によって、保持の形態が異なる種々の物品を保持することができ、したがって利便性を向上することができる。また装着片は、前記基台の表面から間隔をあけて設けられるので、第３保持体によって第３物品を保持した状態において、第３物品の嵌合部と基台との接触を防ぐことができる。したがって第３物品の嵌合部を、装着片の軸線まわりの周方向の大部分を覆うように形成することによって、第３物品が装着片から離脱して落下してしまうという不具合を防止することができる。
【００３８】
また本考案によれば、第１〜第３保持体によって、保持の形態が異なる第１〜第３物品をそれぞれ保持することができる。このように１つの物品保持装置によって、保持の形態が異なる種々の物品を保持することができ、したがって利便性を向上することができる。また前記基台は、矩形の板状体であり、第１保持体は前記基台の一側部寄りの領域に、第２保持体は前記基台の他側部寄りの上方の領域に、第３保持体は前記基台の他側部寄りの下方の領域に、それぞれ設けられる。これによって、物品保持装置の小形化を図ることができる。
【００３９】
また本考案によれば、第１〜第３保持体によって、保持の形態が異なる第１〜第３物品をそれぞれ保持することができる。このように１つの物品保持装置によって、保持の形態が異なる種々の物品を保持することができ、したがって利便性を向上することができる。また前記基台は、矩形の板状体であり、第１保持体は前記基台の一側部寄りの領域に、第２保持体は前記基台の他側部寄りの上方の領域に、第３保持体は前記基台の他側部寄りの下方の領域に、それぞれ設けられる。これによって、物品保持装置の小形化を図ることができる。
【００４０】
また第１物品の差込み部と各挟持片の遊端部とが大きな接触面積で接触した状態で、各挟持片によって前記差込み部を挟持することができる。したがって第１物品を、第１保持体によって確実に保持することができ、第１物品の落下を防止することができる。また一対の案内突条によって、第１物品の差込み部の端部を、所定の位置に案内することができる。したがって第１保持体は、第１物品を、この第１物品の差込み部が所定の姿勢になるようにして、保持することができる。換言すると、第１物品の差込み部を各挟持片の間に差込むときに、差込み作業を行う作業者は容易に、前記差込み部を所定の姿勢にすることができる。
【００４１】
また連結壁部によって、挿入筒部の基端部および遊端部間の中間部と前記基台とが連結されるので、挿入筒部の基端部と前記基台とが連なる部分にかかる力を小さくすることができる。したがって前記連なる部分の変形および破損を防止することができる。
【００４２】
また装着片は、前記基台の表面から間隔をあけて設けられるので、第３保持体によって第３物品を保持した状態において、第３物品の嵌合部と基台との接触を防ぐことができる。したがって第３物品の嵌合部を、装着片の軸線まわりの周方向の大部分を覆うように形成することによって、第３物品が装着片から離脱して落下してしまうという不具合を防止することができる。
【００４３】
また本考案によれば、第１〜第３保持体によって、保持の形態が異なる第１〜第３物品をそれぞれ保持することができる。このように１つの物品保持装置によって、保持の形態が異なる種々の物品を保持することができ、したがって利便性を向上することができる。また補助部材は、第３保持体の突部に対して着脱自在であるので、補助部材に第３物品を装着するとき、作業者は、補助部材を第３保持体の突部から離脱させた状態で、装着作業を行うことができる。したがって装着作業を容易化することができるとともに、装着作業時における物品保持装置の破損を防ぐことができる。また第３物品を保持する必要がないときは、補助部材を第３保持体の突部から離脱させておくことによって、物品保持装置の見た目の煩雑さを解消して、外観をよくすることができる。
【考案を実施するための最良の形態】
【００４４】
図１は、本考案の実施の一形態の物品保持装置１を示す斜視図であり、図２は物品保持装置１の正面図であり、図３は物品保持装置１の背面図であり、図４は物品保持装置１の右側面図であり、図５は物品保持装置１の左側面図であり、図６は物品保持装置１の平面図であり、図７は物品保持装置１の底面図である。
【００４５】
物品保持装置１は、パチンコ店などの遊技店で用いられる。物品保持装置１は、遊技機の上方の壁、または遊技機に、設置される。物品保持装置１は、１または複数の表示具を保持する。表示具には、遊技機に関連する装飾および宣伝が表示される。
【００４６】
物品保持装置１は、熱可塑性樹脂から成る。具体的には、物品保持装置１は、ＡＳ樹脂、すなわちアクリルニトリルとスチレンとの共重合樹脂から成る。物品保持装置１は、射出成形法によって、一体成形される。したがって物品保持装置１は、簡単かつ安価に、大量生産することができる。
【００４７】
物品保持装置１は、基台２と、第１〜第３保持体３〜５とを含んで構成される。基台２は、矩形の板状体である。本実施の形態では、基台２は、長方形の板状体である。第１〜第３保持体３〜５は、基台２の厚み方向Ａの一方側の表面部に設けられる。第１保持体３は、基台２の幅方向Ｂ一端部７寄りの第１領域８に設けられる。第２保持体４は、基台２の幅方向Ｂ他端部９寄りかつ長手方向Ｃ一端部１０寄りの第２領域１１に設けられる。第３保持体５は、基台２の幅方向Ｂ他端部９寄りかつ長手方向Ｃ他端部１２寄りの第３領域１３に設けられる。
【００４８】
図８は、第１保持体３を示す斜視図であり、図９は案内突条２４ａ，２４ｂを示す正面図である。第１保持体３は、第１物品であるプレート２１を着脱自在に保持する。プレート２１は、表示具である。プレート２１は、板状の差込み部２２を有する。第１保持体３は、一対の挟持片２３ａ，２３ｂと、一対の案内突条２４ａ，２４ｂとを有する。
【００４９】
第１保持体３は、基台２の幅方向Ｂに垂直な仮想一平面２５に関して面対称に構成される。各挟持片２３ａ，２３ｂは、前記仮想一平面２５の両側にそれぞれ設けられる。各案内突条２４ａ，２４ｂは、前記仮想一平面２５の両側にそれぞれ設けられる。
【００５０】
各挟持片２３ａ，２３ｂは、基台２から突出して一体的に形成される。各挟持片２３ａ，２３ｂは、基台２の幅方向Ｂに並ぶ。各挟持片２３ａ，２３ｂは、基台２の長手方向Ｃに一直線状に延びる。本実施の形態では、各挟持片２３ａ，２３ｂは、基台２の長手方向Ｃ一端部１０から他端部１２にわたって延びる。各挟持片２３ａ，２３ｂの基端部２６ａ，２６ｂは、基台２に一体的に連なる。各挟持片２３ａ，２３ｂは、基台２から離れるにつれて、相互に近接する方向に緩やかに傾斜する。各挟持片２３ａ，２３ｂの遊端部２７ａ，２７ｂは、相互に近接する方向に屈曲し、さらに基台２に近づく方向に屈曲する。各挟持片２３ａ，２３ｂの遊端部２７ａ，２７ｂは、弾発的に当接する。
【００５１】
各案内突条２４ａ，２４ｂは、各挟持片２３ａ，２３ｂの各基端部２６ａ，２６ｂ間で基台２の表面から突出する。各案内突条２４ａ，２４ｂは、基台２の幅方向Ｂに並ぶ。各案内突条２４ａ，２４ｂは、各挟持片２３ａ，２３ｂと平行に、したがって基台２の長手方向Ｃに、一直線状に延びる。本実施の形態では、各案内突条２４ａ，２４ｂは、基台２の長手方向Ｃ一端部１０から他端部１２にわたって延びる。各案内突条２４ａ，２４ｂの基端部２８ａ，２８ｂは、基台２に一体的に連なる。各案内突条２４ａ，２４ｂの遊端部２９ａ，２９ｂは、基台２から離れる方向に凸となる滑らかな曲面３０ａ，３０ｂを有する。
【００５２】
以上のような第１保持体３は、プレート２１を、このプレート２１の差込み部２２を各挟持片２３ａ，２３ｂによって着脱自在に挟持した状態で、保持することができる。しかも各挟持片２３ａ，２３ｂの遊端部２７ａ，２７ｂは、相互に近接する方向に屈曲して弾発的に当接するので、プレート２１の差込み部２２の厚みが小さくても、各挟持片２３ａ，２３ｂによって前記差込み部２２を挟持することができる。また各挟持片２３ａ，２３ｂの遊端部２７ａ，２７ｂは、一直線状に延びるので、プレート２１の差込み部２２と前記遊端部２７ａ，２７ｂとの接触面積を大きくすることができる。このようにプレート２１の差込み部２２と各挟持片２３ａ，２３ｂの遊端部２７ａ，２７ｂとが大きな接触面積で接触した状態で、各挟持片２３ａ，２３ｂによって前記差込み部２２を挟持することができる。したがってプレート２１を、第１保持体３によって確実に保持することができ、プレート２１の落下を防止することができる。
【００５３】
また第１保持体３は、一対の案内突条２４ａ，２４ｂによって、プレート２１の差込み部２２の端部３１を、所定の位置に案内することができる。プレート２１の差込み部２２が各挟持片２３ａ，２３ｂの間に差込まれるとき、プレート２１の差込み部２２の端部３１は、各案内突条２４ａ，２４ｂの遊端部２９ａ，２９ｂの曲面３０ａ，３０ｂに沿って、基台２に近づく方向に移動されて、各案内突条２４ａ，２４ｂの間に案内される。したがって第１保持体３は、プレート２１を、このプレート２１の差込み部２２が所定の姿勢、本実施の形態では前記差込み部２２が前記仮想一平面２５に沿う姿勢になるようにして、保持することができる。換言すると、プレート２１の差込み部２２を各挟持片２３ａ，２３ｂの間に差込むときに、差込み作業を行う作業者は容易に、前記差込み部２２を所定の姿勢にすることができる。
【００５４】
また第１保持体３は、前述のように、プレート２１を、このプレート２１の差込み部２２が前記仮想一平面２５に沿う姿勢になるようにして、保持することができる。これによって、プレート２１の差込み部２２が前記仮想一平面２５に対して傾斜する場合に比べて、プレート２１の差込み部２２と各挟持片２３ａ，２３ｂの遊端部２７ａ，２７ｂとの接触面積を大きくすることができる。したがってプレート２１を、第１保持体３によって確実に保持することができ、プレート２１の落下を防止することができる。
【００５５】
図１０は、第２保持体４を示す斜視図であり、図１１は図３の切断面線Ｓ１１−Ｓ１１から見た断面図であり、図１２は図３の切断面線Ｓ１２−Ｓ１２から見た断面図であり、図１３は図３の切断面線Ｓ１３−Ｓ１３から見た断面図である。
【００５６】
第２保持体４は、第２物品である旗セット４１を着脱自在に保持する。旗セット４１は、旗４２と、この旗４２を支持する旗竿４３とを含んで構成される。旗４２は、表示具である。旗竿４３は、棒状の挿入部４４を有する。第２保持体４は、挿入筒部４５と、連結壁部４６とを有する。
【００５７】
挿入筒部４５は、基台２から突出して一体的に形成される。挿入筒部４５の基端部４７は、基台２の長手方向Ｃ中央部近傍に一体的に連なる。挿入筒部４５は、基台２から離れるにつれて、基台２の長手方向Ｃ他端部１２から一端部１０に向かう長手方向一方Ｃ１に傾斜する。挿入筒部４５の軸線Ｌ１と基台２の表面との成す角度θは、たとえば３０度に選ばれる。挿入筒部４５の遊端部４８は、基台２の長手方向Ｃ一端部１０よりも、前記長手方向一方Ｃ１に突出する。
【００５８】
挿入筒部４５は、有底円筒状であり、内部には挿入筒部４５の軸線Ｌ１に沿って挿入孔４９が形成される。挿入筒部４５の遊端部４８には、開口が形成される。挿入筒部４５の基端部４７には、底板部５０と、底板部５０を支持する支持板部５１とが一体的に形成される。底板部５０は、挿入筒部４５の軸線Ｌ１に垂直である。支持板部５１は、底板部５０と基台２との間に形成される。支持板部５１は、基台２の幅方向Ｂに垂直であり、挿入筒部４５の軸線Ｌ１に沿って設けられる。
【００５９】
挿入筒部４５の基端部４７には、一対の基端部内部空間５２ａ，５２ｂが形成される。基台２には、前記各基端部内部空間５２ａ，５２ｂにそれぞれ連通する２つの第１連通孔５３ａ，５３ｂが形成される。
【００６０】
連結壁部４６は、挿入筒部４５の基端部４７および遊端部４８間の中間部５４と基台２とを連結する。連結壁部４６は、３つの第１板部５５ａ〜５５ｃと、第２板部５６とを有する。各第１板部５５ａ〜５５ｃは、基台２から垂直に突出する。各第１板部５５ａ〜５５ｃは、基台２の幅方向Ｂに垂直であり、基台２の幅方向Ｂに間隔をあけて設けられる。各第１板部５５ａ〜５５ｃは、挿入筒部４５の基台２に対向する部分に連なる。第２板部５６は、基台２の長手方向Ｃ一端部１０から垂直に突出する。第２板部５６は、基台２の長手方向Ｃに垂直である。第２板部５６は、挿入筒部４５の基台２に対向する部分に連なる。各第１板部５５ａ〜５５ｃは、基台２および挿入筒部４５に一体的に形成される。第２板部５６は、基台２および挿入筒部４５に一体的に形成される。各第１板部５５ａ〜５５ｃおよび第２板部５６は、一体的に形成される。
【００６１】
連結壁部４６には、一対の連結壁部内部空間５７ａ，５７ｂが形成される。基台２には、前記各連結壁部内部空間５７ａ，５７ｂにそれぞれ連通する２つの第２連通孔５８ａ，５８ｂが形成される。
【００６２】
以上のような第２保持体４は、旗セット４１を、この旗セット４１の旗竿４３の挿入部４４を挿入筒部４５の挿入孔４９に着脱自在に挿入した状態で、保持することができる。第２保持体４は、連結壁部４６によって、挿入筒部４５の基端部４７および遊端部４８間の中間部５４と基台２とが連結されている。したがって、旗竿４３の挿入部４４が挿入筒部４５の挿入孔４９に挿入されて旗４２が立てられたときに、挿入筒部４５の基端部４７と基台２とが連なる部分にかかる力を小さくすることができる。これによって、前記連なる部分の変形および破損を防止することができる。
【００６３】
また挿入筒部４５の基端部４７には、前記各基端部内部空間５２ａ，５２ｂが形成され、連結壁部４６には、前記各連結壁部内部空間５７ａ，５７ｂが形成される。また基台２には、前記各第１連通孔５３ａ，５３ｂおよび各第２連通孔５８ａ，５８ｂが形成される。したがって前記各基端部内部空間５２ａ，５２ｂ、各連結壁部内部空間５７ａ，５７ｂ、各第１連通孔５３ａ，５３ｂおよび各第２連通孔５８ａ，５８ｂが形成されない場合に比べて、物品保持装置１を軽量化することができる。また少ない材料で、物品保持装置１を製造することができる。
【００６４】
図１４は、装着片６２に装着された第１装着具６３ａを示す斜視図であり、図１５は装着片６２に装着された第２装着具６３ｂを示す斜視図であり、図１６は装着片６２に装着された第３装着具６３ｃを示す斜視図である。
【００６５】
第３保持体５は、第３物品である補助表示具セットを着脱自在に保持する。補助表示具セットは、装着具と、第３物品本体である補助表示具とを含んで構成される。図４を再び参照して、第３保持体５は、連結突部７８と、装着片６２とを有する。
【００６６】
連結突部７８は、基台２から垂直に突出して一体的に形成される。連結突部７８は、基台２の幅方向Ｂに関して、前記第２保持体４の挿入筒部４５と同一の位置に設けられる。連結突部７８の基端部７９は、基台２の長手方向Ｃ他端部１２近傍に一体的に連なる。連結突部７８は、基台２の長手方向Ｃに延びる。
【００６７】
装着片６２は、円柱状の本体部６５と、環状のフランジ部６６とを有する。本体部６５は、基台２の長手方向Ｃに延び、基台２の表面から所定の間隔Ｗをあけて連結突部７８を介して一体的に形成される。フランジ部６６は、本体部６５と同軸である。フランジ部６６は、本体部６５のうち長手方向他方の端部の外周部に連なる。
【００６８】
装着片６２には、装着具として、複数（本実施の形態では３）の装着具６３ａ〜６３ｃのいずれかが着脱自在に装着される。なお装着具は、後述の第１〜第３装着具６３ａ〜６３ｃに限定されるものではない。装着片６２に装着される装着具は、１つであってもよく、複数であってもよい。装着具は、保持されるべき補助表示具に応じて選ばれる。
【００６９】
第１〜第３装着具６３ａ〜６３ｃは、類似するので、同様の部分には同一の符号を付して説明を省略する。第１〜第３装着具６３ａ〜６３ｃは、装着片６２に着脱自在に嵌合される嵌合部６９と、補助表示具を保持する保持部７０とを有する。第１〜第３装着具６３ａ〜６３ｃは、嵌合部６９の構成が同様であり、保持部７０の構成が異なる。嵌合部６９は、軸直角断面がＣ字状であり、基部７１と、この基部７１に連なる一対の装着挟持片７２ａ，７２ｂとを有する。嵌合部６９は、装着挟持片７２ａ，７２ｂによって装着片６２を挟持する。保持部７０は、嵌合部６９の基部７１に設けられる。保持部７０は、嵌合部６９の基部７１に関して、装着挟持片７２ａ，７２ｂとは反対側に設けられる。
【００７０】
第１装着具６３ａは、第１補助表示具６４ａを保持する。第１補助表示具６４ａは、板状の差込み部を有する。第１装着具６３ａの保持部７０は、一対の第１挟持片７３ａ，７３ｂを有する。各第１挟持片７３ａ，７３ｂは、嵌合部６９の基部７１に一体的に連なる。第１装着具６３ａの保持部７０は、各第１挟持片７３ａ，７３ｂによって、第１補助表示具６４ａの差込み部を挟持する。
【００７１】
第２装着具６３ｂは、第２補助表示具６４ｂを保持する。第２補助表示具６４ｂは、第１補助表示具６４ａに比べて、差込み部の厚みが大きい。第２装着具６３ｂの保持部７０は、一対の第２挟持片７４ａ，７４ｂを有する。各第２挟持片７４ａ，７４ｂは、前記各第１挟持片７３ａ，７３ｂの間隔よりも大きな間隔をあけて、嵌合部６９の基部７１に一体的に連なる。第２装着具６３ｂの保持部７０は、各第２挟持片７４ａ，７４ｂによって、第２補助表示具６４ｂの差込み部を挟持する。
【００７２】
第３装着具６３ｃは、第３補助表示具６４ｃを保持する。第３補助表示具６４ｃは、長方形のシートであり、一端部が折り返されて筒部７５が形成される。第３装着具６３ｃの保持部７０は、保持部本体７６と、係止部７７とを有する。保持部本体７６は、棒状であり、嵌合部６９の基部７１に一体的に連なる。係止部７７は、保持部本体７６の遊端部に設けられる。第３装着具６３ｃの保持部７０は、第３補助表示具６４ｃを、この第３補助表示具６４ｃの筒部７５に保持部本体７６を挿入した状態で、保持する。
【００７３】
以上のような第３保持体５は、補助表示具セットを、この補助表示具セットの装着具の嵌合部６９を装着片６２に着脱自在に嵌合させた状態で、保持することができる。第３保持体５は、補助表示具を、装着具を介して保持することができるので、装着具の構成を変えることによって、保持の形態が異なる種々の補助表示具を保持することができる。
【００７４】
また装着片６２は、前記基台２の表面から間隔Ｗをあけて設けられる。したがって第３保持体５によって補助表示具セットを保持した状態において、装着具の嵌合部６９と基台２との接触を防ぐことができる。したがって装着具の嵌合部６９を、装着片６２の軸線まわりの周方向の大部分を覆うように形成することによって、装着具が装着片６２から離脱して補助表示具セットが落下してしまうという不具合を防止することができる。
【００７５】
図１７は、物品保持装置１の使用状態の一例を示す斜視図である。図１８には、第１保持体３がプレート２１を保持し、第２保持体４が旗セット４１を保持し、第３保持体５が第３装着具６３ｃを介して第３補助表示具６４ｃを保持している状態を示す。
【００７６】
物品保持装置１は、たとえば遊技機の上部の鉛直な設置面部８１に、設置される。基台２の厚み方向Ａ他方側の表面部と前記設置面部８１との間には、両面粘着テープが介在され、この両面粘着テープによって、物品保持装置１が遊技機の上部に固定される。
【００７７】
物品保持装置１は、基台２の長手方向Ｃが鉛直方向と同一となり、かつ第２保持体４が第３保持体５の上方に配置されるように、設置される。すなわち設置状態で説明すると、第１保持体３は基台２の一側部寄りの領域に、第２保持体４は基台２の他側部寄りの上方の領域に、第３保持体５は基台２の他側部寄りの下方の領域に、それぞれ設けられる。これによって、物品保持装置１の小形化を図ることができる。
【００７８】
以上のような本実施の形態によれば、第１〜第３保持体３〜５によって、プレート２１、旗セット４１、補助表示具セットをそれぞれ保持することができる。このように１つの物品保持装置１によって、保持の形態が異なる種々の物品を保持することができ、したがって利便性を向上することができる。
【００７９】
また第１保持体３は、プレート２１を水平に保持することができる。第２保持体４は、挿入筒部４５が、基台２から離れるにつれて長手方向一方Ｃ１、したがって設置状態において上方に傾斜するので、旗４２を斜めに立てた状態で、旗セット４１を保持することができる。しかも設置状態において、第２保持体４は、基台２の他側部寄りの上方の領域に設けられる。したがってプレート２１および旗４２は、上下にずれるので、それらが重なってしまうという不具合を防止するができる。これによって、装飾および宣伝の効果を向上することができる。
【００８０】
しかも物品保持装置１は、プレート２１および旗４２だけでなく、補助表示具をも保持することができる。補助表示具をも保持することによって、装飾および宣伝の効果をさらに向上することができる。
【００８１】
図１８は、本考案の実施の他の形態の物品保持装置における第３保持体１０２を示す斜視図である。本実施の形態の物品保持装置は、前述の実施の形態の物品保持装置１に類似するので、同様の部分の説明は省略して、異なる部分についてだけ説明する。本実施の物品保持装置は、前述の実施の形態の第３保持体に代えて、突部１０１を有する第３保持体１０２が設けられる。
【００８２】
突部１０１は、基台２から垂直に突出して一体的に形成される。突部１０１は、基台２の幅方向Ｂに関して、前記第２保持体４の挿入筒部４５と同一の位置に設けられる。突部１０１の基端部１０３は、基台２の長さ方向Ｃ他端部１２近傍に一体的に連なる。突部１０１は、基台２の長さ方向Ｃに延びる。突部１０１は、板状であり、基台２の幅方向Ｂから見た形状が、長方形である。
【００８３】
第３保持体１０２は、補助部材１０４を介して、第３物品である補助表示具セットを着脱自在に保持する。補助部材１０４は、円柱状の本体部１０５と、環状のフランジ部１０６とを有する。フランジ部１０６は、本体部１０５と同軸である。フランジ部１０６は、本体部１０５の軸線方向Ｄ一端部１０７の外周部に連なる。補助部材１０４の本体部１０５は、嵌合溝が形成される凹状の補助嵌合部１０８を有する。補助嵌合部１０８は、本体部１０５の軸線方向Ｄ一端部１０７寄りに配置される。補助嵌合部１０８によって形成される嵌合溝は、本体部１０５の軸線方向Ｄに延びる。
【００８４】
第３保持体１０２は、補助部材１０４を、この補助部材１０４の補助嵌合部１０８を突部１０１に着脱自在に嵌合させた状態で、保持する。補助部材１０４には、補助表示具セットが、この補助表示具セットの装着具の嵌合部６９が着脱自在に嵌合された状態で装着される。このとき、補助部材１０４は、前記基台２の表面から間隔をあけて設けられる。
【００８５】
以上のような第３保持体１０２は、補助表示具を、補助部材１０４および装着具を介して保持することができるので、装着具の構成を変えることによって、保持の形態が異なる種々の補助表示具を保持することができる。
【００８６】
また補助部材１０４は、第３保持体１０２の突部１０１に対して着脱自在であるので、補助部材１０４に補助表示具セットを装着するとき、作業者は、補助部材１０４を第３保持体１０２の突部１０１から離脱させた状態で、装着作業を行うことができる。したがって装着作業を容易化することができるとともに、装着作業時における物品保持装置の破損を防ぐことができる。また補助表示具を保持する必要がないときは、補助部材１０４を第３保持体１０２の突部１０１から離脱させておくことによって、物品保持装置の見た目の煩雑さを解消して、外観をよくすることができる。
【００８７】
また補助部材１０４は、前記基台２の表面から間隔をあけて設けられるので、補助部材１０４によって補助表示具セットを保持した状態において、装着具の嵌合部６９と基台２との接触を防ぐことができる。したがって装着具の嵌合部６９を、補助部材１０４の軸線Ｄまわりの周方向の大部分を覆うように形成することによって、装着具が補助部材１０４から離脱して補助表示具セットが落下してしまうという不具合を防止することができる。
【００８８】
前述の実施の各形態は、本考案の例示に過ぎず、本考案の範囲内において構成を変更することができる。
【図面の簡単な説明】
【００８９】
【図１】本考案の実施の一形態の物品保持装置１を示す斜視図である。
【図２】物品保持装置１の正面図である。
【図３】物品保持装置１の背面図である。
【図４】物品保持装置１の右側面図である。
【図５】物品保持装置１の左側面図である。
【図６】物品保持装置１の平面図である。
【図７】物品保持装置１の底面図である。
【図８】第１保持体３を示す斜視図である。
【図９】案内突条２４ａ，２４ｂを示す正面図である。
【図１０】第２保持体４を示す斜視図である。
【図１１】図３の切断面線Ｓ１１−Ｓ１１から見た断面図である。
【図１２】図３の切断面線Ｓ１２−Ｓ１２から見た断面図である。
【図１３】図３の切断面線Ｓ１３−Ｓ１３から見た断面図である。
【図１４】装着片６２に装着された第１装着具６３ａを示す斜視図である。
【図１５】装着片６２に装着された第２装着具６３ｂを示す斜視図である。
【図１６】装着片６２に装着された第３装着具６３ｃを示す斜視図である。
【図１７】物品保持装置１の使用状態の一例を示す斜視図である。
【図１８】本考案の実施の他の形態の物品保持装置における第３保持体１０２を示す斜視図である。
【符号の説明】
【００９０】
１  物品保持装置
２  基台
３  第１保持体
４  第２保持体
５，１０２  第３保持体
２３  挟持片
２４  案内突条
４５  挿入筒部
４６  連結壁部
４９  挿入孔
６２  装着片
６３ａ  第１装着具
６３ｂ  第２装着具
６３ｃ  第３装着具
６４ａ  第１補助表示具
６４ｂ  第２補助表示具
６４ｃ  第３補助表示具
７８  連結突部
１０１  突部
１０４  補助部材
【図１】
0003106912.tif 000003
【図２】
0003106912.tif 000004
【図３】
0003106912.tif 000005
【図４】
0003106912.tif 000006
【図５】
0003106912.tif 000007
【図６】
0003106912.tif 000008
【図７】
0003106912.tif 000009
【図８】
0003106912.tif 000010
【図９】
0003106912.tif 000011
【図１０】
0003106912.tif 000012
【図１１】
0003106912.tif 000013
【図１２】
0003106912.tif 000014
【図１３】
0003106912.tif 000015
【図１４】
0003106912.tif 000016
【図１５】
0003106912.tif 000017
【図１６】
0003106912.tif 000018
【図１７】
0003106912.tif 000019
【図１８】
0003106912.tif 000020